(57)【特許請求の範囲】
【請求項１】
頂壁と外筒と前記頂壁に注出口を設けた内筒とを有してなるキャップ本体および前記注出口を閉塞する天蓋が後端部で互いに蝶着されたヒンジキャップであって、前記頂壁には前記注出口を挟んだ位置に長孔に形成された複数の透孔が設けられているとともに、前記天蓋には前記頂壁に覆合した閉蓋状態において前記透孔と対応する位置に文字、模様、図柄のいずれかまたはそれらの組合せに形成された透孔が設けられ、且つ前記天蓋の上面には所定間隔を置いて複数の突起が突設されて構成され、容器を倒立したときその台座となるとともに倒立状態の容器表面から前記キャップ本体内に回り込んだ水滴を前記頂壁の透孔から天蓋の透孔を通して外部に排出することを特徴とする倒立形容器のキャップ。
【発明の詳細な説明】
【０００１】
【発明の属する技術分野】
本発明は、ヒンジキャップに関し、詳しくは倒立の状態で置かれるチューブ容器や中空容器に装着され、これを支える台座となるヒンジキャップに関する。
【０００２】
【従来の技術】
シャンプーやリンス、洗顔料など、主に浴室で使用される粘性のある半流動体の内容物をチューブ容器や中空容器に収納し、粘性のある内容物を直ちに注出可能な状態に置くために容器を倒立して置くことが行われている。この為に片手でワンタッチで開閉できる大きめのヒンジキャップを台座として用いることは周知である。
【０００３】
ところで、この倒立形容器を用いた主としてトイレタリー製品は浴室において使用されることが多いので、濡れた手で使用されるうえに、湯水を直接被ったり、湯気が容器外面に水滴となって付着流下するので、容器とキャップが接続する隙間からキャップの内側に水滴が回り込んで滞留してしまうことがある。従って、容器を持って正立させたとき、滞留水が漏出して手を濡らしたり周辺を汚染してしまうことがあり、衛生面や品質への影響を指摘する意見もある。
【０００４】
実開平５ー７２７４７号に開示された倒立形のチューブ容器に使用されているキャップはこの問題に着目したもので、周知の三点ヒンジ形の弾性反転形キャップを用いて、キャップ本体の注出口を有する内筒とその外囲の外筒との間に位置する頂壁部分に小孔を開けることにより、キャップ内に回り込んだ水滴をこの小孔からヒンジ結合された天蓋内に誘導し、天蓋側ヒンジ部の弾性反転板の両側の隙間から外部に排出させるというものである。
【０００５】
【発明が解決しようとする課題】
ところで、上記従来の倒立形容器のキャップにおいては、小孔から天蓋内に誘導された水滴を天蓋の周壁から天壁にかけて切り込み形成された弾性反転板の両側の僅かな隙間から排出させる構成であるので、流入水の排出に時間がかかるとともに、キャップは容器の台座として天蓋を下にして置かれるので、天蓋に切り込まれた排出用となる隙間が立地面に接して水滴の排出機能が不充分になるうえに通気性も充分ではないので長時間に亘り湿気が残る不満があった。
【０００６】
また、キャップ本体の小孔は単純に頂壁部に穿孔されたものであるので、倒立形容器が傾斜面に置かれると、その置かれた方向によって水滴の一部がキャップ本体の小孔から離れた低い箇所に滞留して排出できないことがある。また、キャップの片寄った位置にあるヒンジの隙間を水滴の排出口としているので天蓋にも同様の現象が発生する。
【０００７】
本発明は、上記の問題に鑑みてなされたもので、湯水を直接被ったり、湯気が充満する浴室に置かれることにより流入した水滴がキャップ内に滞留することがないように排出と通気を容易にするとともに、見映えのよい多様なデザインの倒立形容器のキャップにすることを課題としている。
【０００８】
【課題を解決するための手段】
そこで、本発明の倒立形容器のキャップは、頂壁と外筒と前記頂壁に注出口を設けた内筒とを有してなるキャップ本体および前記注出口を閉塞する天蓋が後端部で互いに蝶着されたヒンジキャップであって、前記頂壁には前記注出口を挟んだ位置に長孔に形成された複数の透孔が設けられているとともに、前記天蓋には前記頂壁に覆合した閉蓋状態において前記透孔と対応する位置に文字、模様、図柄のいずれかまたはそれらの組合せに形成された透孔が設けられ、且つ前記天蓋の上面には所定間隔を置いて複数の突起が突設されて構成され、容器を倒立したときその台座となるとともに倒立状態の容器表面から前記キャップ本体内に回り込んだ水滴を前記頂壁の透孔から天蓋の透孔を通して外部に排出することで前記課題の解決手段とした。
【０００９】
また、頂壁と外筒と前記頂壁に注出口を設けた内筒とを有してなるキャップ本体および前記注出口を閉塞する天蓋が後端部で互いに蝶着されたヒンジキャップであって、前記天蓋が前記頂壁に覆合した閉蓋状態において前記頂壁には前記天蓋から開放状態にある複数の透孔が設けられて構成され、容器を倒立したときその台座となるとともに前記倒立状態の容器表面から前記キャップ本体内に回り込んだ水滴を前記頂壁の透孔から外部に排出するようにしてもよい。
【００１０】
【発明の実施の形態】
以下、請求項記載の各発明の好ましい実施の形態を図面を参照しながら説明する。
【００１１】
図１の（ａ）、（ｂ）、（ｃ）、（ｄ）乃至図２の（ａ）、（ｂ）、（ｃ）は、請求項１および請求項２に記載の倒立形容器のキャップを示すもので、図１の（ａ）、（ｂ）に示すように、この実施形態のキャップは、頂壁５と外筒２と前記頂壁５に注出口４を設けた内筒３とを有してなるキャップ本体１と、前記注出口４を閉塞する天蓋２０とが互いの後端部で一体に形成されたヒンジ３０で蝶着されて構成され、例えばポリプロピレン樹脂を用いて形成されている。
【００１２】
前記キャップ本体１は、板状にして略楕円形の頂壁５の周縁から垂下周設された外筒２と、頂壁５の中央部に垂設された内筒３との二重壁に形成されており、前記外筒２の前側中央上端部には指掛け用の凹所７が設けられているとともに後側中央上端部には天蓋２０と連結するキャップ本体１側の周知の三点形のヒンジ３０が一体に形成され、前記内筒３の頂壁５の中央には注出口４が穿孔されているとともに内周壁には雌螺子からなる係着機構８が設けられ、容器４０の頸部４２に設けられた雄螺子からなる係着機構４１と係着している。また、前記頂壁５には注出口４を挟んだ左右の位置に直線状の長孔に形成された複数の透孔６が穿孔されている。
【００１３】
尚、ヒンジ３０は弾性反転形の三点ヒンジに限るものではなく、一点ヒンジでも別体によるヒンジであってもよい。また、係着機構８，４１も螺着に限られず、凹部と凸部、凸部と凸部による周知のアンダーカットによる係着方法であってもよいことは言うまでもない。
【００１４】
前記天蓋２０は、周壁２３を有し容器本体１と相似形に形成されており、前端部中央には周壁２３から突出した指掛片２４が突設されているともに後端部中央にはキャップ本体１と連結する蓋体２０側の三点ヒンジ３０が一体形成されている。また、天蓋２０の外面には所定間隔を置いて複数の突起２２が突設され、内面中央には棒状の閉塞栓２５が突設されキャップ本体１の注出口４に嵌入している。そして、キャップ本体１の透孔６と対応する天蓋２０の位置には幅広の文字の形をした透孔２１が穿孔され、正立状態にあるとき、天蓋２０の透孔２１を透してキャップ本体１の長孔の透孔６が縦縞模様に見えるようになっている。
【００１５】
以上のように構成された実施形態のキャップは、図１（ｄ）に示すように、容器４０に装着されることにより天蓋２０を下面にし容器４０の台座として倒立された状態で浴室などに置かれて使用される。そして、容器４０とキャップ本体１とが接続する外面の隙間４３からキャップ本体１内に流れ込んだ水滴は、キャップ本体１の頂壁５に広く分布穿孔された複数の透孔６から天蓋２０内に落流し、突起２２によって立地面から床上げされた天蓋２０の文字形の透孔２１から外部に排出される。そして、キャップ本体１および天蓋２０の各透孔６，２１はキャップの広域に亘り分布形成されているので、容器４０が多少の傾斜面に置かれても水滴はキャップ内に滞留することがなく排出され、通気もよいので乾燥が早く湿気によるカビの発生も防止できるものである。
【００１６】
また、この実施形態のキャップにあっては、図２に示すように、キャップを真円に形成し、キャップ本体１の透孔６を注出口４を挟み囲んだ湾曲した長孔に形成するともに、天蓋２０の透孔２１をキャップ本体１の透孔６に対応した扇形の図柄に形成したもので、デザインの多様化が可能である。
【００１７】
上記いずれの形のキャップも店頭に正立して置かれた状態では、図１（ｃ）および図２（ｂ）に示すように、キャップの各透孔６，２１部分は縞模様を呈する文字および図柄にデザイン化されて見え、化粧品やトイレタリー製品に適した見映えの良いキャップになっている。
【００１８】
次に、図３以下に示す倒立形容器のキャップは、本発明のそれぞれ別の実施の形態を示すもので、図において、上記の実施の形態と共通する部分については同一符合を付してその説明を省略する。
【００１９】
図３の（ａ）、（ｂ）、（ｃ）、（ｄ）は、請求項１および請求項３に記載の倒立形容器のキャップの実施形態を示すもので、図に示すように、キャップ本体１の透孔６は頂壁５の周縁部に沿って配設されているとともに、天蓋２０は皿状に凹没して形成され、天蓋２０の透孔２１がキャップ本体１の透孔６に重なって連通して構成されている。
【００２０】
この実施の形態にあっては、容器４０とキャップ本体１とが接続する外面の隙間４３から流れ込んだ水滴は、キャップ本体１の頂壁５の透孔６と連通する天蓋２０の透孔２１に直接導かれて外部に排出されるので天蓋２０内に滞留する余地のない構成となっている。そして、天蓋２０を皿状に形成したことにより排出口２１と立地面との間隔が充分に大きいので水滴の排出が極めて容易であるとともに通気もよいのでキャップ内の乾燥が早く衛生的である。
【００２１】
図４の（ａ）、（ｂ）、（ｃ）、（ｄ）は、請求項４および請求項５に記載の倒立形容器のキャップの実施形態を示すもので、図に示すように、キャップ本体１の頂壁５は複数の突起９を突設した頂壁５外縁に沿った部分と中央部に内筒３を吊設した架橋部１０を残して切欠いた透孔６に形成され、天蓋２０は閉蓋時において前記架橋部１０に覆合するように構成されている。
【００２２】
この実施形態にあっては、キャップ本体１の頂壁５の広域部分が架橋部１０を挟んだ二つの透孔６とされており、天蓋２０は透孔６に被覆することなく閉蓋する構成であるので、キャップ本体１内に流入した水滴はキャップ内に滞留する余地なくキャップ本体１の透孔６から排出される。そして、透孔６は大きく切り欠かれ、且つ天蓋２０は小さく形成されているので、成形材料の節約にもなって安価に製造できるものである。
【００２３】
図５の（ａ）、（ｂ）、（ｃ）、（ｄ）は、請求項４および請求項６に記載の倒立形容器のキャップの実施形態を示すもので、図に示すように、キャップ本体１の頂壁５上面には注出口４を挟んで縦列に各複数個の透孔６が穿設されているとともに注出口４を有する頂壁５中央部分は透孔６よりも隆起面１１に形成され、天蓋２０は閉蓋時において前記隆起面１１に当接するように構成されている。
【００２４】
この実施の形態にあっては、板状の天蓋２０はキャップ本体１の透孔６の上方を覆うとともに隆起面１１に当接することにより透孔６を閉塞することなく閉蓋する構成であるので、キャップ本体１内に流入した水滴はキャップ本体１の透孔６から直接外部に排出するようになっている。そして、正立して置いたときは天蓋２０によって透孔６が外部に露見しないようにデザイン的な配慮がなされた構成となっている。
【００２５】
図６の（ａ）、（ｂ）、（ｃ）、（ｄ）は、請求項４および請求項７に記載の倒立形容器のキャップの実施形態を示すもので、図に示すように、キャップ本体１の頂壁５はその中心に排出口４を有し平面十字状を呈する隆起面に形成された上部頂壁５ａとその四隅の下部頂壁５ｂとに形成され、前記上下各頂壁５ａ，５ｂには透孔６ａ，６ｂがそれぞれ穿設されているとともに上部頂壁５ａと天蓋２０上面とには突起９，２２が突設され、天蓋２０は閉蓋時において上部頂壁５ａの中央部に覆合するように構成されている。
【００２６】
この実施の形態にあっては、キャップ本体１内に流入した水滴はキャップ本体１の上下の透孔６ａ，６ｂから直接外部に排出されるとともに、立地面に対面するキャップの頂面を平面十字状を呈する隆起面に形成することにより倒立安定の良い小さな面積に構成し、立地面から高い箇所にある下部頂壁５ｂにも透孔６ｂを穿孔したので空気の流通がよく、従って、キャップ本体１内の乾燥が早いうえに、立体的で個性的なデザインになっている。
【００２７】
【発明の効果】
本発明の倒立形容器のキャップによれば、キャップ内に流入した水滴を排出する為の各透孔を立地面から床上げして広範囲に設けた構成としたので、水滴の排出が容易となって滞留することがなく、且つ通気も良いので乾燥が早く衛生的である。そして、各透孔及び各透孔の配設位置は、機能とデザインとが融合するように配慮して設けられているので、排水機能があるうえに見映えがよく、トイレタリー製品や化粧品に適した倒立形容器のキャップになっている。
【図面の簡単な説明】
【図１】本発明の倒立形容器のキャップの第一の実施形態を示す（ａ）は作動状態の平面図、（ｂ）は（ｃ）のＡ−Ａ失視半断面図、（ｃ）は平面図、（ｄ）は倒立状態の正面図。
【図２】同実施形態の変形例を示す（ａ）は作動状態の平面図、（ｂ）は平面図、（ｃ）は倒立状態の正面図。
【図３】本発明の倒立形容器のキャップの第二の実施形態を示す（ａ）は作動状態の平面図、（ｂ）は（ｃ）のＢ−Ｂ矢視半断面図、（ｃ）は平面図、（ｄ）は倒立状態の正面図。
【図４】本発明の倒立形容器のキャップの第三の実施形態を示す（ａ）は作動状態の平面図、（ｂ）は（ｃ）のＣ−Ｃ矢視半断面図、（ｃ）は平面図、（ｄ）は倒立状態の正面図。
【図５】本発明の倒立形容器のキャップの第四の実施形態を示す（ａ）は作動状態の平面図、（ｂ）は（ｃ）のＤ−Ｄ矢視半断面図、（ｃ）は平面図、（ｄ）は倒立状態の正面図。
【図６】本発明の倒立形容器のキャップの第五の実施形態を示す（ａ）は作動状態の平面図、（ｂ）は（ｃ）のＥ−Ｅ失視半断面図、（ｃ）は平面図、（ｄ）は倒立状態の正面図。
【符号の説明】
１  キャップ本体，２  外筒，３  内筒，４  注出口，５  頂壁，６  透孔，２０  天蓋，２１  透孔，２２  突起
【図１】
0003720430.tif 000002
【図２】
0003720430.tif 000003
【図３】
0003720430.tif 000004
【図４】
0003720430.tif 000005
【図５】
0003720430.tif 000006
【図６】
0003720430.tif 000007